(57)【要約】【課題】可変フィルタを制御するためだけの別系統の制御回路を不要にすると共に、制御回路間の同期を不要にし、さらに、メモリを不要にする周波数可変信号源を得る。【解決手段】周波数計測回路３により、周波数信号源２から出力された周波数ｆ0を計測し、該計測した周波数ｆ0に応じた制御信号を出力する。また、可変フィルタ４により、制御信号に応じた周波数特性が設定され、周波数信号源２から出力された周波数ｆ0のうち該設定された周波数特性に応じた帯域を通過させる。  よって、周波数信号源２から出力される周波数ｆ0に追従して可変フィルタ４の周波数特性を制御することができ、可変フィルタ４を制御するためだけの別系統の制御回路を不要にすると共に、制御回路間の同期を不要にし、さらに、メモリを不要にすることができる。【選択図】図１
2013126143.tif 000002
【特許請求の範囲】
【請求項１】
所望の出力周波数に応じた第１の制御信号を出力する制御回路と、
前記第１の制御信号に応じた周波数を生成する周波数信号源と、
前記周波数信号源から出力された周波数を計測し、該計測した周波数に応じた第２の制御信号を出力する周波数計測回路と、
前記第２の制御信号に応じて周波数特性が設定され、前記周波数信号源から出力された周波数のうち該設定された周波数特性に応じた帯域を通過させる可変フィルタとを備えた周波数可変信号源。
【請求項２】
所望の出力周波数に応じた第１の制御信号を出力する制御回路と、
前記第１の制御信号に応じた周波数を生成する周波数信号源と、
前記周波数信号源から出力された周波数を変換する周波数変換回路と、
前記周波数信号源から出力された周波数を計測し、該計測した周波数に応じた第２の制御信号を出力する周波数計測回路と、
前記第２の制御信号に応じて周波数特性が設定され、前記周波数変換回路から出力された周波数のうち該設定された周波数特性に応じた帯域を通過させる可変フィルタとを備えた周波数可変信号源。
【請求項３】
周波数変換回路は、
所定の周波数を生成する局部発振信号源と、
周波数信号源から出力された周波数を、前記局部発振信号源から生成される周波数の和または差の周波数に変換するミクサとを備えたことを特徴とする請求項２記載の周波数可変信号源。
【請求項４】
周波数変換回路は、
周波数信号源から出力された周波数を、ｎ（ｎは任意の自然数）倍の周波数に変換するｎ倍器とを備えたことを特徴とする請求項２記載の周波数可変信号源。
【請求項５】
周波数計測回路は、
周波数信号源から出力された周波数と帰還周波数との位相差に応じた比較信号を出力する位相比較器と、
前記比較信号を直流信号に変換し、可変フィルタに第２の制御信号として出力するループフィルタと、
前記ループフィルタにより変換された直流信号に応じた周波数を生成し、前記位相比較器に帰還周波数として出力する電圧制御発振器とを備えたことを特徴とする請求項２記載の周波数可変信号源。
【請求項６】
周波数計測回路は、
周波数信号源から出力された周波数の周期に応じたパルスを発生するパルス発生回路と、
定電流を発生する直流源と、
前記パルス発生回路から発生されたパルスに応じてオンおよびオフし、オン状態時に前記直流源から発生された定電流を通過させ、オフ状態時に前記直流源から発生された定電流を遮断するスイッチと、
前記スイッチに一端が接続され、グランドに他端が接地され、該スイッチを通過した定電流を充電するキャパシタとを備え、
前記キャパシタに充電された電位を、可変フィルタに第２の制御信号として出力することを特徴とする請求項２記載の周波数可変信号源。
【請求項７】
周波数変換回路は、
周波数信号源から出力された周波数を、電圧制御発振器から生成される周波数の和または差の周波数に変換するミクサを備えたことを特徴とする請求項５記載の周波数可変信号源。
【請求項８】
可変フィルタは、
可変帯域通過フィルタ、帯域可変高域通過フィルタ、帯域可変低域通過フィルタ、および帯域可変帯域阻止フィルタのうちのいずれか１つ以上を用いたことを特徴とする請求項１から請求項７のうちのいずれか１項記載の周波数可変信号源。
【発明の詳細な説明】
【技術分野】
【０００１】
本発明は、レーダや無線通信装置などに用いられる周波数可変信号源に関する。
【背景技術】
【０００２】
従来の周波数可変信号源として、アドレス入力端子に、第１のプログラマブルＲＯＭ、第１のディジタル／アナログ変換回路、および周波数同調回路の順で接続された周波数信号源と、そのアドレス入力端子に、第２のプログラマブルＲＯＭ、第２のディジタル／アナログ変換回路、および周波数可変フィルタの順で接続された可変フィルタとを備え、周波数信号源により生成された周波数のうち、可変フィルタに設定された周波数特性に応じた帯域のみ通過させるものがある。
【０００３】
従来の周波数可変信号源では、予め周波数同調回路の同調周波数／制御電圧特性を測定し、その周波数をアドレスとして、対応する制御電圧のディジタル変換値を第１のプログラマブルＲＯＭに書き込んでおく。
また、予め周波数可変フィルタの通過周波数／制御電圧特性を測定し、その周波数をアドレスとして、対応する制御電圧のディジタル変換値を第２のプログラマブルＲＯＭに書き込んでおく。
【０００４】
所望の出力周波数を発生させる際の周波数信号源の動作は、アドレス入力端子から所望の出力周波数に応じたアドレスを指定し、そのアドレスに対応するディジタル値を第１のプログラマブルＲＯＭから読み出し、そのディジタル値を第１のディジタル／アナログ変換回路によりアナログ値に変換し、そのアナログ値を周波数同調回路の可変容量ダイオードに印加することにより、所望の周波数を生成する。
【０００５】
また、所望の出力周波数を発生させる際の可変フィルタの動作は、同時にアドレス入力端子から指定されたアドレスに対応するディジタル値を第２のプログラマブルＲＯＭから読み出し、そのディジタル値を第２のディジタル／アナログ変換回路によりアナログ値に変換し、そのアナログ値を周波数可変フィルタの可変容量ダイオードに印加することにより、周波数信号源から出力された周波数のうち所望の周波数のみ通過させる周波数特性に設定される（下記特許文献１参照）。
【先行技術文献】
【特許文献】
【０００６】
【特許文献１】特開昭６２−２３２２１２号公報
【発明の概要】
【発明が解決しようとする課題】
【０００７】
従来の周波数可変信号源は以上のように構成されているので、所望の出力周波数を発生させる周波数信号源の系統の外、所望の出力周波数を通過させる可変フィルタの系統を別途並列に設け、且つ両系統を同期させて動作させなければならないという課題があった。
また、周波数同調回路の同調周波数／制御電圧特性を記憶する第１のプログラマブルＲＯＭや、通過周波数／制御電圧特性を記憶する第２のプログラマブルＲＯＭなどのメモリが必要になるため、構成が大きくなると共に、消費電力が大きくなるという課題があった。
【０００８】
本発明は、以上のような課題を解消するためになされたものであり、可変フィルタを制御するためだけの別系統の制御回路を不要にすると共に、制御回路間の同期を不要にし、さらに、メモリを不要にする周波数可変信号源を得ることを目的とする。
【課題を解決するための手段】
【０００９】
本発明の周波数可変信号源は、所望の出力周波数に応じた第１の制御信号を出力する制御回路と、第１の制御信号に応じた周波数を生成する周波数信号源と、周波数信号源から出力された周波数を計測し、該計測した周波数に応じた第２の制御信号を出力する周波数計測回路と、第２の制御信号に応じて周波数特性が設定され、周波数信号源から出力された周波数のうち該設定された周波数特性に応じた帯域を通過させる可変フィルタとを備えたものである。
【発明の効果】
【００１０】
本発明によれば、周波数計測回路により、周波数信号源から出力された周波数を計測し、該計測した周波数に応じた第２の制御信号を出力する。また、可変フィルタにより、第２の制御信号に応じた周波数特性が設定され、周波数信号源から出力された周波数のうち該設定された周波数特性に応じた帯域を通過させる。
よって、周波数信号源から出力される周波数に追従して可変フィルタを制御することができ、可変フィルタを制御するためだけの別系統の制御回路を不要にすると共に、制御回路間の同期を不要にし、さらに、メモリを不要にすることができる効果がある。
【図面の簡単な説明】
【００１１】
【図１】この発明の実施の形態１による周波数可変信号源を示す構成図である。
【図２】この発明の実施の形態２による周波数可変信号源を示す構成図である。
【図３】この発明の実施の形態２による他の周波数可変信号源を示す構成図である。
【図４】この発明の実施の形態２による他の周波数可変信号源を示す構成図である。
【図５】この発明の実施の形態３による周波数可変信号源の周波数計測回路の詳細を示す構成図である。
【図６】この発明の実施の形態３による周波数可変信号源の他の周波数計測回路の詳細を示す構成図である。
【図７】この発明の実施の形態４による周波数可変信号源の周波数計測回路の詳細を示す構成図である。
【図８】この発明の実施の形態５による周波数可変信号源を示す構成図である。
【発明を実施するための形態】
【００１２】
実施の形態１．
図１はこの発明の実施の形態１による周波数可変信号源を示す構成図である。
図において、制御回路１は、所望の出力周波数ｆOに応じた制御信号を出力する。
周波数信号源２は、制御信号に応じた周波数ｆOの高周波を生成する。
周波数計測回路３は、周波数信号源２から出力された周波数ｆOを計測し、計測した周波数ｆOに応じた制御信号を出力する。
可変フィルタ４は、周波数計測回路３からの制御信号に応じて周波数特性が設定され、周波数信号源２から出力された周波数ｆOのうち、設定された周波数特性に応じた周波数ｆOの帯域のみ通過させ、不要波を抑圧する。
出力端子５は、可変フィルタ４を通過した所望の周波数ｆOの高周波を出力する。
【００１３】
次に動作について説明する。
制御回路１から周波数信号源２に、出力端子５から出力させたい所望の出力周波数ｆOに応じた制御信号を出力すれば、周波数信号源２は、制御信号に応じた周波数ｆOの高周波を生成する。
このように、制御回路１からの可変な制御信号に応じて、周波数信号源２は、可変な周波数を生成する。
【００１４】
周波数計測回路３は、周波数信号源２により生成された高周波の周波数ｆOを計測し、計測した周波数ｆOに応じて、可変フィルタ４への制御電圧（信号）に変換し、可変フィルタ４に出力する。
可変フィルタ４は、周波数計測回路３からの制御電圧に応じて、例えば、容量値が変化する可変容量ダイオードが設けられ、周波数計測回路３からの制御信号に応じて周波数特性が設定される。
【００１５】
この実施の形態１では、可変フィルタ４は、周波数ｆOの帯域のみ通過させる周波数特性が設定され、周波数信号源２から出力された周波数ｆOのうち、設定された周波数特性に応じた周波数ｆOの帯域のみ通過させ、不要波を抑圧する。
可変フィルタ４を通過した所望の周波数ｆOの高周波は、出力端子５から出力される。
【００１６】
以上のように、実施の形態１によれば、周波数計測回路３により、周波数信号源２から出力された周波数ｆOを計測し、計測した周波数ｆOに応じた制御信号を出力し、可変フィルタ４により、制御信号に応じた周波数特性が設定され、周波数信号源２から出力された周波数ｆOのうち、設定された周波数特性に応じた帯域を通過させる。
よって、周波数信号源２から出力される周波数ｆOに追従して可変フィルタ４の周波数特性を制御することができ、可変フィルタ４を制御するためだけの別系統の制御回路を不要にすると共に、制御回路間の同期を不要にし、さらに、メモリを不要にすることができる。
【００１７】
なお、周波数計測回路３における計測した周波数ｆOに応じた制御信号への変換特性と、可変フィルタ４における制御信号に応じた周波数ｆOの帯域のみ通過させる周波数特性は、周波数計測回路３において周波数ｆOを計測した場合に、可変フィルタ４において周波数ｆOの帯域のみ通過させる周波数特性となれば良く、各特性は任意に設定することができる。
【００１８】
また、周波数計測回路３に処理遅延がある場合に、可変フィルタ４の入力側に、その処理遅延時間に相当する遅延回路を設ける。
この場合、可変フィルタ４では、周波数信号源２から出力された周波数ｆOを遅延回路を介して入力し、周波数計測回路３からの制御信号を遅延回路を介することなく直に入力することにより、可変フィルタ４では、周波数ｆOに周波数特性が追従可能にすることができる。
【００１９】
さらに、周波数計測回路３から可変フィルタ４への制御信号は、制御電圧でも制御電流でも良く、可変フィルタ４の構成によって設計されるものであって良い。
【００２０】
さらに、図１における可変フィルタ４は、可変帯域通過フィルタ、帯域可変高域通過フィルタ、帯域可変低域通過フィルタ、および帯域可変帯域阻止フィルタのうちのいずれか１つ以上を用いることで、同様な効果が得られる。
【００２１】
実施の形態２．
図２はこの発明の実施の形態２による周波数可変信号源を示す構成図である。
図において、制御回路１は、所望の出力周波数ａｆO（ａ≠１）に応じた制御信号を出力する。
周波数信号源２は、制御信号に応じた周波数ｆOの高周波を生成する。
周波数計測回路３ａは、周波数信号源２から出力された周波数ｆOを計測し、計測した周波数ｆOに応じた制御信号を出力する。
周波数変換回路６は、周波数信号源２から出力された周波数ｆOを周波数ａｆOに変換する。
可変フィルタ４ａは、周波数計測回路３ａからの制御信号に応じて周波数特性が設定され、周波数変換回路６から出力された周波数ａｆOのうち、設定された周波数特性に応じた周波数ａｆOの帯域のみ通過させ、不要波を抑圧する。
出力端子５は、可変フィルタ４ａを通過した所望の周波数ａｆOの高周波を出力する。
【００２２】
次に動作について説明する。
制御回路１から周波数信号源２に、出力端子５から出力させたい所望の出力周波数ａｆOに応じた制御信号を出力する。
なお、実施の形態１では、所望の出力周波数がｆOであり、この実施の形態２では、所望の出力周波数がａｆOであるので、両者の所望の出力周波数は異なるが、実施の形態２における制御回路１から出力される制御信号は、実施の形態１における制御回路１から出力される制御信号と同一のものとする。
周波数信号源２は、実施の形態１と同様に、制御信号に応じて周波数ｆOの高周波を生成する。
【００２３】
周波数計測回路３ａは、周波数信号源２により生成された高周波の周波数ｆOを計測し、計測した周波数ｆOに応じて、可変フィルタ４への制御信号に変換し、可変フィルタ４ａに出力する。
周波数変換回路６は、周波数信号源２から出力された周波数ｆOを周波数ａｆOに変換する。
可変フィルタ４ａは、周波数計測回路３ａからの制御信号に応じて、周波数特性が設定される。
【００２４】
この実施の形態２では、可変フィルタ４ａは、周波数ａｆOの帯域のみ通過させる周波数特性が設定され、周波数変換回路６から出力された周波数ａｆOのうち、設定された周波数特性に応じた周波数ａｆOの帯域のみ通過させ、不要波を抑圧する。
可変フィルタ４ａを通過した所望の周波数ａｆOの高周波は、出力端子５から出力される。
【００２５】
以上のように、実施の形態２によれば、周波数変換回路６により、周波数信号源２から出力された周波数ｆOを周波数ａｆOに変換し、周波数計測回路３ａにより、周波数信号源２から出力された周波数ｆOを計測し、計測した周波数ｆOに応じた制御信号を出力し、可変フィルタ４ａにより、制御信号に応じた周波数特性が設定され、周波数変換回路６から出力された周波数ａｆOのうち、設定された周波数特性に応じた帯域を通過させる。
よって、周波数信号源２から出力される周波数ｆOに追従して可変フィルタ４ａの周波数特性を制御することができ、可変フィルタ４ａを制御するためだけの別系統の制御回路を不要にすると共に、制御回路間の同期を不要にし、さらに、メモリを不要にすることができる。
また、出力端子５から出力される所望の周波数を広帯域化することができる。
【００２６】
なお、周波数計測回路３ａにおける計測した周波数ｆOに応じた制御信号への変換特性と、可変フィルタ４ａにおける制御信号に応じた周波数ａｆOの帯域のみ通過させる周波数特性は、周波数計測回路３ａにおいて周波数ｆOを計測した場合に、可変フィルタ４ａにおいて周波数ａｆOの帯域のみ通過させる周波数特性となれば良く、各特性は任意に設定することができる。
【００２７】
図３はこの発明の実施の形態２による他の周波数可変信号源を示す構成図である。
図において、周波数計測回路３ｂは、周波数信号源２から出力された周波数ｆOを計測し、計測した周波数ｆOに応じた制御信号を出力する。
周波数変換回路６ｂにおけるＬＯ信号源７は、所定の局部発振周波数αを生成する。
ミクサ８は、周波数信号源２から出力された周波数ｆOと、ＬＯ信号源７から出力された局部発振周波数αとを混合し、周波数信号源２から出力された周波数ｆOを、ＬＯ信号源７から出力された局部発振周波数αの和または差の周波数（ｆO＋α，ｆO−α）に変換する。
可変フィルタ４ｂは、周波数計測回路３ｂからの制御信号に応じて周波数特性が設定され、周波数変換回路６ｂから出力された周波数（ｆO＋α，ｆO−α）のうち、設定された周波数特性に応じた周波数（ｆO＋α，ｆO−α）の帯域のみ通過させ、不要波を抑圧する。
その他の構成については、図２と同様である。
【００２８】
以上のように、ミクサ８により、周波数信号源２から出力された周波数ｆOを、ＬＯ信号源７から出力された局部発振周波数αの和または差の周波数（ｆO＋α，ｆO−α）に変換し、周波数計測回路３ｂにより、周波数信号源２から出力された周波数ｆOを計測し、計測した周波数ｆOに応じた制御信号を出力し、可変フィルタ４ｂにより、制御信号に応じた周波数特性が設定され、ミクサ８から出力された周波数（ｆO＋α，ｆO−α）のうち、設定された周波数特性に応じた帯域を通過させるようにしても良く、同様な効果が得られる。
また、出力端子５から出力される所望の周波数を広帯域化することができる。
【００２９】
なお、周波数計測回路３ｂにおける計測した周波数ｆOに応じた制御信号への変換特性と、可変フィルタ４ｂにおける制御信号に応じた周波数（ｆO＋α，ｆO−α）の帯域のみ通過させる周波数特性は、周波数計測回路３ｂにおいて周波数ｆOを計測した場合に、可変フィルタ４ｂにおいて周波数（ｆO＋α，ｆO−α）の帯域のみ通過させる周波数特性となれば良く、各特性は任意に設定することができる。
【００３０】
また、周波数計測回路３ｂにおいて周波数ｆOを計測した場合に、可変フィルタ４ｂにおいて周波数（ｆO＋α，ｆO−α）の帯域のみ通過させる周波数特性としたが、周波数変換回路６ｂにおいて周波数（ｆO＋α）に変換される場合に、可変フィルタ４ｂにおいて周波数（ｆO＋α）の帯域のみ、また、周波数変換回路６ｂにおいて周波数（ｆO−α）に変換される場合に、可変フィルタ４ｂにおいて周波数（ｆO−α）の帯域のみ通過させる周波数特性としても良い。
【００３１】
図４はこの発明の実施の形態２による他の周波数可変信号源を示す構成図である。
図において、周波数計測回路３ｃは、周波数信号源２から出力された周波数ｆOを計測し、計測した周波数ｆOに応じた制御信号を出力する。
周波数変換回路６ｃにおけるｎ（ｎは任意の自然数）倍器９は、周波数信号源２から出力された周波数ｆOをｎ倍の周波数に変換する。
可変フィルタ４ｃは、周波数計測回路３ｃからの制御信号に応じて周波数特性が設定され、周波数変換回路６ｃから出力された周波数ｎｆOのうち、設定された周波数特性に応じた周波数ｎｆOの帯域のみ通過させ、不要波を抑圧する。
その他の構成については、図２と同様である。
【００３２】
以上のように、ｎ倍器９により、周波数信号源２から出力された周波数ｆOをｎ倍の周波数に変換し、周波数計測回路３ｃにより、周波数信号源２から出力された周波数ｆOを計測し、計測した周波数ｆOに応じた制御信号を出力し、可変フィルタ４ｃにより、制御信号に応じた周波数特性が設定され、ミクサ８から出力された周波数ｎｆOのうち、設定された周波数特性に応じた帯域を通過させるようにしても良く、同様な効果が得られる。
また、出力端子５から出力される所望の周波数を広帯域化することができる。
【００３３】
なお、周波数計測回路３ｃにおける計測した周波数ｆOに応じた制御信号への変換特性と、可変フィルタ４ｃにおける制御信号に応じた周波数ｎｆOの帯域のみ通過させる周波数特性は、周波数計測回路３ｃにおいて周波数ｆOを計測した場合に、可変フィルタ４ｃにおいて周波数ｎｆOの帯域のみ通過させる周波数特性となれば良く、各特性は任意に設定することができる。
【００３４】
実施の形態３．
図５はこの発明の実施の形態３による周波数可変信号源の周波数計測回路の詳細を示す構成図である。
図において、周波数計測回路３ｄにおける位相比較器１２は、周波数信号源２から出力された周波数ｆOを入力端子１１から入力し、周波数信号源２から出力された周波数ｆOと帰還周波数ｆとの位相差に応じた比較信号を出力する。
ループフィルタ１３は、比較信号を直流信号（電圧Ｖ）に変換し、出力端子１４から可変フィルタ４に制御信号として出力する。
電圧制御発振器１５は、ループフィルタ１３により変換された直流信号に応じた周波数を生成し、位相比較器１２に帰還周波数ｆとして出力する。
【００３５】
以上のように、実施の形態３によれば、周波数計測回路３ｄにより、周波数信号源２から出力された周波数ｆOを計測し、計測した周波数ｆOに応じた制御信号を可変フィルタ４に出力することができる。
【００３６】
図６はこの発明の実施の形態３による周波数可変信号源の他の周波数計測回路の詳細を示す構成図である。
図において、分周器１６は、電圧制御発振器１５から出力された帰還周波数を分周して、その分周した周波数を位相比較器１２に帰還周波数ｆとして出力する。
その他の構成については、図５と同様である。
【００３７】
以上のように、分周器１６により、電圧制御発振器１５から出力された帰還周波数を分周して、位相比較器１２に出力するので、電圧制御発振器１５から出力された帰還周波数が高い場合でも対応することができる。
【００３８】
実施の形態４．
図７はこの発明の実施の形態４による周波数可変信号源の周波数計測回路の詳細を示す構成図である。
図において、周波数計測回路におけるパルス発生回路２１は、周波数信号源２から出力された周波数ｆOを入力端子１１から入力し、周波数信号源２から出力された周波数ｆOの周期に応じたパルスを発生する。
充電回路２２における直流源２３は、定電流を発生する。
スイッチ２４は、直流源２３に一端が接続され、パルス発生回路２１から発生されたパルスに応じてオンおよびオフし、オン状態時に直流源２３から発生された定電流を通過させ、オフ状態時に直流源２３から発生された定電流を遮断する。
キャパシタ２５は、スイッチ２４の他端に一端が接続され、グランドに他端が接地され、スイッチ２４を通過した定電流を充電し、充電された電位を、出力端子１４から可変フィルタ４に制御信号として出力する。
【００３９】
次に動作について説明する。
パルス発生回路２１は、周波数信号源２から出力された周波数ｆOを入力端子１１から入力し、その入力信号の１周期の時間に応じたオン時間のパルス信号を出力する。
パルス発生回路２１より出力されるパルス信号のオン時間をＴON、入力信号の１周期の時間をＴFとすると、オン時間ＴONと周期ＴFの関係は次式（１）で表される。
2013126143.tif 000003
ここで、Ｎはパルス発生回路２１における係数を表す。
【００４０】
スイッチ２４は、パルス信号がオン時間の間だけスイッチをオンにする。スイッチ２４がオンになると、電流源２３より流れる電流がキャパシタ２５に充電される。
この時、出力端子１４から出力される電圧は次式（２）で表され、
2013126143.tif 000004
入力信号の周波数ｆ0、キャパシタ２５の容量値Ｃ、電流源２３から出力される電流値Ｉ、パルス発生回路２１の係数Ｎで与えられる電圧値ＶOを出力する。
【００４１】
以上のように、実施の形態４によれば、パルス発生回路２１、直流源２３、スイッチ２４、およびキャパシタ２５からなる周波数計測回路により、周波数信号源２から出力された周波数ｆOを計測し、計測した周波数ｆOに応じた制御信号を可変フィルタ４に出力することができる。
【００４２】
実施の形態５．
図８はこの発明の実施の形態５による周波数可変信号源を示す構成図である。
図において、ミクサ８は、図３に示した周波数変換回路６ｂにおけるミクサに相当する。
電圧制御発振器１５は、図６に示した周波数計測回路３ｅにおける電圧制御発振器に相当する。
この実施の形態５では、電圧制御発振器１５から生成される周波数をミクサ８に出力し、ミクサ８では、周波数信号源２から出力された周波数ｆ0を、電圧制御発振器１５から生成される周波数の和または差の周波数に変換する。
その他の構成については、図３と同様である。
【００４３】
以上のように、実施の形態５によれば、周波数計測回路３ｅにおける電圧制御発振器１５から生成される周波数を、周波数変換回路６ｂにおけるミクサ８に出力し、ミクサ８では、周波数信号源２から出力された周波数ｆ0を、電圧制御発振器１５から生成される周波数の和または差の周波数に変換するので、図３に示した周波数変換回路６ｂにおけるＬＯ信号源７が不要になり、小型化および低消費電力化することができる。
【００４４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４５】
１  制御回路、２  周波数信号源、３、３ａ〜３ｄ  周波数計測回路、４，４ａ〜４ｃ  可変フィルタ、５，１４  出力端子、６，６ｂ，６ｃ  周波数変換回路、７  ＬＯ信号源、８  ミクサ、９  ｎ倍器、１１  入力端子、１２  位相比較器、１３  ループフィルタ、１５  電圧制御発振器、１６  分周器、２１  パルス発生回路、２２  充電回路、２３  直流源、２４  スイッチ、２５  キャパシタ。
【図１】
2013126143.tif 000005
【図２】
2013126143.tif 000006
【図３】
2013126143.tif 000007
【図４】
2013126143.tif 000008
【図５】
2013126143.tif 000009
【図６】
2013126143.tif 000010
【図７】
2013126143.tif 000011
【図８】
2013126143.tif 000012